(57)【要約】【課題】  広告表示物の設置や交換作業を効率良く行えるうえ、表示効果を格段に高めることができる広告装置を提供する。【解決手段】  乳白色のアクリル板からなり、筒状に形成された筒状枠体２と、広告物が表示されたカラーコルトンからなり、ラミネート加工またはポリマウント加工により強化され、前記筒状枠体２の外周面２ａに巻き付けられて、その継ぎ目部分が接着されてなるフィルム３と、を備えた。【選択図】      図２
0003118736.tif 000002
【実用新案登録請求の範囲】
【請求項１】
広告物が表示されたフィルムを筒状枠体の外周面に巻き付け、このフィルムの継ぎ目部分を接着してなる広告装置。
【請求項２】
前記フィルムがカラーコルトンであり、ラミネート加工またはポリマウント加工により強化されてなることを特徴とする請求項１に記載の広告装置。
【請求項３】
前記筒状枠体が乳白色のアクリル板であることを特徴とする請求項１に記載の広告装置。
【請求項４】
前記筒状枠体の内周面に沿って照明器具を配置してなることを特徴とする請求項１に記載の広告装置。
【請求項５】
柱の外周面に装着されるバンドと、
このバンドに固着される柱用枠体と、
この柱用枠体の外周面に沿って配置された照明器具と、
乳白色のアクリル板からなり、前記照明器具を囲んで前記柱用枠体の外周部に保持された筒状枠体と、
広告物が表示されたカラーコルトンからなり、ラミネート加工またはポリマウント加工により強化され、前記筒状枠体の外周面に巻き付けられて、その継ぎ目部分が接着されてなるフィルムと、を備えた広告装置。
【考案の詳細な説明】
【技術分野】
【０００１】
本考案は、既設の柱等に装着されて広告物を表示する広告装置に関するものである。
【背景技術】
【０００２】
駅の構内や地下街等の柱は、通行人の目が触れやすいことから、従来より広告物を表示する広告装置が設けられている。
その一例として、丸柱等の外形に合わせて成形した広告枠と、透明のアクリル板からなる保護カバーとの間に、予め広告表示がなされた広告フィルムを挟み込む広告用パネルが知られている（挟み込み型）。
【０００３】
別の従来の広告用パネルは、広告フィルムの周縁に小孔を形成するか引っ掛け用の金具を取り付けてあり、この広告フィルムに対向する広告枠の外表面には、小孔を形成するか引っ掛け用の金具を取り付けている。
そして、既設の丸柱に広告用パネルを装着する際、前記広告枠および保護カバーにおける小孔相互または金具相互に複数個のスプリングの各端部を引っ掛け、広告枠に広告フィルムを取り付ける。次いで、この広告フィルムの外周面に保護カバーを装着して広告用パネルを組み立てる。この後、この広告用パネルを丸柱の側壁に沿って吊り下げることにより、通行人が見えるようにしていた（引っ掛け型）。
【考案の開示】
【考案が解決しようとする課題】
【０００４】
ところで、従来の挟み込み型の広告用パネルは、設置現場において、広告枠と保護カバーとの間に広告フィルムを挟み込んで一体化する必要があるため、このような取付作業や適宜の交換作業にスペースが必要となり、作業に長時間を要していた。
また、引っ掛け型の広告パネルでは、孔開け工具や金具の取付用具も必要なうえ、このような作業には特別な技術を要し、甚だ非効率なものであった。
また、広告用フィルムは、保護カバーの間に挟まれるだけで、特別な加工を施していないことから、劣化し易く長寿命に保つことができなかった。
また、保護カバーが透明のアクリル板からなり、外光を反射するので、ハレーションにより広告物が見難いという欠点があった。
【０００５】
本考案は、上記のような課題を解決するためになされたもので、広告表示物の設置や交換作業を効率良く行えるうえ、表示効果を格段に高めることができる広告装置を提供することを目的としている。
【課題を解決するための手段】
【０００６】
上記目的を達成するため、本考案の広告装置は、広告物が表示されたフィルムを筒状枠体の外周面に巻き付け、このフィルムの継ぎ目部分を接着してなることを特徴としている。
また、請求項２の考案は、前記フィルムがカラーコルトンであり、ラミネート加工またはポリマウント加工により強化されてなることを特徴としている。
また、請求項３の考案は、前記筒状枠体が乳白色のアクリル板であることを特徴としている。
また、請求項４の考案は、前記筒状枠体の内周面に沿って照明器具を配置してなることを特徴としている。
【０００７】
さらに、請求項５の考案は、柱の外周面に装着されるバンドと、このバンドに固着される柱用枠体と、この柱用枠体の外周面に沿って配置された照明器具と、乳白色のアクリル板からなり、前記照明器具を囲んで前記柱用枠体の外周部に保持された筒状枠体と、広告物が表示されたカラーコルトンからなり、ラミネート加工またはポリマウント加工により強化され、前記筒状枠体の外周面に巻き付けられて、その継ぎ目部分が接着されてなるフィルムと、を備えたことを特徴としている。
【考案の効果】
【０００８】
以上説明したように、本考案の広告装置によれば、広告物が表示されたフィルムを筒状枠体の外周面に巻き付け、このフィルムの継ぎ目部分を接着するだけなので、特別な技術を要せず取付が極めて簡単であり、従来に比して作業時間が大幅に短縮される。また、作業スペースも少なくて済み、特別な道具、工具も不要になるといった効果がある。
また、請求項２の考案は、前記フィルムがカラーコルトンであり、ラミネート加工またはポリマウント加工により強化されているので、広告物の表示されたフィルムが長時間にわたって高強度に維持され、長寿命に保たれる利点がある。
また、請求項３の考案は、前記筒状枠体が乳白色のアクリル板なので、光の反射が殆どなくなり、フィルムの広告物がハレーションなく表示されて見易くなる利点がある。
また、請求項４の考案は、前記筒状枠体の内周面に沿って照明器具を配置しているから、照明光が乳白色のアクリル板を透過してフィルムを明るく照らし出し、広告物の表示効果を高められる利点がある。
【０００９】
さらに、請求項５の考案は、柱の外周面にバンドを介して固着した柱用枠体の外周面に照明器具を配置し、この照明器具を囲んで乳白色のアクリル板からなる筒状枠体を保持し、この筒状枠体の外周面に広告物が表示されたカラーコルトンからなり、ラミネート加工またはポリマウント加工により強化されたフィルムを巻き付けて、その継ぎ目部分を接着している。
よって、特別な技術を要せず製作が極めて簡単であり、従来に比して作業時間が大幅に短縮される。また、作業スペースも少なくて済み、特別な道具、工具も不要になる。
また、広告物の表示されたフィルムが長時間にわたって高強度に維持され、長寿命に保たれる。
また、光の反射が殆どなくなり、フィルムの広告物がハレーションなく表示されて見易くなる。
また、照明光が乳白色のアクリル板を透過してフィルムを明るく照らし出し、広告物の表示効果を高められる、といった効果がある。
【考案を実施するための最良の形態】
【００１０】
以下、本考案に係る広告装置の実施形態について、図面を参照しながら詳述する。
図１は本考案の一実施形態である広告装置を示す正面図、図２は広告装置の筒状枠体および広告フィルムを示す展開斜視図である。
この広告装置１は、バンド６や柱用枠体７を用いて駅構内４の丸柱５等に装着する構成になっている。
【００１１】
筒状枠体２は、乳白色のアクリル板により形成される。この筒状枠体２は、装着すべき柱の形状に合わせて、円筒状、角筒状あるいは多角形の筒状に成形加工される。
広告フィルム３は、カラーコルトンであり、図２に示す如く筒状枠体２の外周面２ａを覆い、両端３ａ，３ｂで１ｃｍ程度の重なりが生じる大きさに形成されている。
この広告フィルム３は、コルトン等でインターネガを作成し、これに広告物を焼き込んだ後、ラミネート加工またはポリマウント加工により強化している。
ラミネート加工においては、塩化ビニールが用いられ、広告フィルム３に圧着される。
また、ポリマウント加工では、ポリエステルが用いられ、広告フィルム３に圧着される。これにより、広告フィルム３が強化され、従来の如く加工しない場合に比して長寿命に保たれる。
【００１２】
この広告フィルム３は、筒状枠体２に一体化する際、両端３ａ，３ｂに予め再剥離可能な透明のフィルムテープを接着しておき、筒状枠体２の外周面２ａに巻き付ける。
そして、この外周面２ａに両端３ａ，３ｂのフィルムテープを接着し、継ぎ目部分が重なるように接着する。この後、継ぎ目部分の上下に再剥離可能なポリエステルテープ又は塩化ビニールテープを接着する。
このように、広告フィルム３は、継ぎ目部分およびその上下が再剥離可能となっているので、広告フィルム３を交換する作業が容易となる。
【００１３】
以上のように形成された筒状枠体２および広告フィルム３は、駅構内４やホーム等に立設された丸柱５（図１参照）に装着する場合は、図３に示す柱用枠体７により本体部１Ａと基台部１Ｂとを構成し、バンド６で組み付ける。
なお、この基台部１Ｂは、筒状枠体２と同質材で形成すると、乳白色なので本体部１Ａ側の広告物のみが目立ち、人目をひくことができる。
【００１４】
バンド６は、図３〜図５に示しており、半円形の金属ベルト６ａ，６ｂを２本１対にしたもので、曲率半径を丸柱５の直径にほぼ等しくしている。そして、各金属ベルト６ａ，６ｂの両端にヒンジ６ｃを形成し、このヒンジ６ｃにボルト挿通孔を設けてある。
このバンド６は、丸柱５に装着する際、側壁５ａに各金属ベルト６ａ，６ｂを添わせ、ヒンジ６ｃのボルト挿通孔にボルト６ｄを挿通し、ネジ部にナット６ｅを螺合する。これにより、金属ベルト６ａ，６ｂ相互が結合されて、図６に示すように、バンド６を側壁５ａの外周部に装着することができる。
【００１５】
柱用枠体７は、図３および図４に示す如く中間枠１１と外周枠１２とからなり、金属材により形成されている。
中間枠１１は、内側フレーム１３、内側シャフト１４および内側アーム１５により構成されている。
内側フレーム１３は、６本１組からなる前後部の湾曲部材１３ａ，１３ｂを用いて環状に形成される。
前部側の湾曲部材１３ａは２本で、曲率半径が前記バンド６よりも大きく、後部側の湾曲部材１３ｂは４本で、曲率半径が前部側の湾曲部材１３ａよりもさらに大きく形成されている。
【００１６】
これら前後部の湾曲部材１３ａ，１３ｂは、ジョイント部材１６，１７により相互に連結され、略環状の内側フレーム１３を形成する。
この内側フレーム１３は、上下に３段が配設されるように、８本の内側シャフト１４で結合される。
内側シャフト１４は、広告装置１の本体部１Ａおよび基台部１Ｂを構成可能な長さに形成されている。
この内側シャフト１４は、内側フレーム１３の上段、中央および下段とともに、上部フレーム８や下部フレーム９をも一体的に溶接接合する。
このように形成された中間枠１１は、４本の内側アーム１５によりバンド６に溶接接合され、強固に固着されている。
【００１７】
外周枠１２は、外側フレーム１８、外側シャフト１９および外側アーム２０により構成されている。
外側フレーム１８は、８本１組の湾曲部材１８ａを用いて環状に形成される。この湾曲部材１８ａは、曲率半径が前記後部側の湾曲部材１３ｂよりも大きくされている。
この外側フレーム１８は、上下に３段が配設されるように、１６本の外側シャフト１９に連結される。
【００１８】
外側シャフト１９は、広告装置１の本体部１Ａを構成可能な長さに形成されている。
この外側シャフト１９は、外側フレーム１８の上段、中段および下段とともに、前記上部フレーム８や下部フレーム９をも一体的に溶接接合する。
このように形成された外周枠１２は、８本の外側アーム２０により前記中間枠１１に連結される。
この際は、外側アーム２０の一端を外側フレーム１８に溶接接合し、他端をジョイント２１で前部側の湾曲部材１３ａに結合する。
また、他の箇所は、後部側の湾曲部材１３ｂにジョイント２１で結合する。よって、外周枠１２が中間枠１１に対し強固に固着される。
【００１９】
これにより、バンド６の中心に対し前部側が膨出した網籠状の柱用枠体７が構成される。
この柱用枠体７を丸柱５に取付ける際は、バンド６を二分しておいて、側壁５ａの外周面に添わせ、ヒンジ６ｃにボルト６ｄを挿入してからナット６ｅを螺合し締め付ける。すると、柱用枠体７が丸柱５に対し強固に装着される。
この後、柱用枠体７は、図５〜図７に示す如く本体部１Ａに前記の筒状枠体２、広告フィルム３および後述の照明器具３０等が配設され、下部には図１に示した基台部１Ｂが設けられる。
【００２０】
なお、この筒状枠体２は、前述のアクリル板であり、本体部１Ａを囲む外径に形成されている。
広告フィルム３も、前述のコルトンであり、予め広告物が表示されている。この広告フィルム３は、筒状枠体２と同サイズに形成され、その外周面に接着される。この際は、前述の如く再剥離可能なテープを用いて接着しておく。
これら筒状枠体２は、保持部材２２、ガイド部材２３および押え部材２４により、本体部１Ａ側に装着保持される。
【００２１】
保持部材２２は、環状で上下１対からなり、広告フィルム３にほぼ等しい直径に形成されている。
上方の保持部材２２は、図６に示すように、前記最上段の上部フレーム８に支持部材２５を介して接合される一方、下方の保持部材２２は、前記３段目の内側フレーム１３に支持部材２６を介して接合される。
そして、上下の保持部材２２，２２の対向面には、筒状枠体２の厚さに等しい幅の挟持溝を形成するように、ガイド部材２３と押え部材２４とが固着されている。
これにより、筒状枠体２の両端縁を上下の挟持溝に嵌め込むと、保持部材２２，２２の間に筒状枠体２が挟持される。
なお、１０は、基台部１Ｂを構成するための補助フレームであり、この外周に筒状枠体２と同質材の筒状枠体が装着される。
【００２２】
照明器具３０は、ストロー型のEEFL(External Electrode Fluorescent Lamp)管３１を多数本備えたもので、反射板２７、取付部材２８、ランプサポート２９を介して柱用枠体７に配設される。
なお、本例では、１本が１２００ＷのEEFL管を上段に９９本、下段に９９本をそれぞれ配列するが、設置規模に応じて変更するようになっている。
【００２３】
反射板２７は、柱用枠体７の外周枠１２を覆う形状に、ボンデ鋼板で形成されている。この反射板２７は、外周枠１２に被せられ、その外側フレーム１８および外側シャフト１９に接合されている。
取付部材２８は、環状で細幅に形成されており、反射板２７の外周面に４本が所用の間隔をあけて溶接接合されている。
ランプサポート２９は、平面視が略凹状で、この凹部にEEFL管３１を掴持するようになっている。このランプサポート２９は、EEFL管３１の本数に応じた数を等間隔をあけて取付部材２８に固着している。
【００２４】
EEFL管３１は、両端にソケット３１ａを設けており、リード線を介してＡＣインバータ３２に接続されている。このＡＣインバータ３２は、電源回路からの供給電圧を受けてEEFL管３１を点灯させる。
このEEFL管３１は、反射板２７の前方で等間隔に多数本を列設しているから、広告フィルム３を均等な明るさで照らし出すことができる。
また、このEEFL管３１は、通常の蛍光管に比して発熱量が少なく、筒状枠体２の上方も開口しているので、広告装置１の内部に熱がこもることはない。
【００２５】
以上のように構成された広告装置１は、広告物が表示された広告フィルム３を筒状枠体２の外周面２ａに巻き付け、この広告フィルム３の継ぎ目部分を接着するだけなので、特別な技術を要せず取付が極めて簡単であり、作業時間が大幅に短縮される。また、作業スペースも少なくて済み、特別な道具、工具も不要である。
また、広告フィルム３がカラーコルトンであり、ラミネート加工またはポリマウント加工により強化されているので、広告物の表示された広告フィルム３が長時間にわたって高強度に維持される。
また、筒状枠体２が乳白色のアクリル板なので、光の反射が殆どなくなり、広告フィルム３の広告物がハレーションなく表示される。
また、筒状枠体２の内周側に照明器具３０を配置しているから、照明光が乳白色のアクリル板を透過して広告フィルム３を明るく照らし出す。
【図面の簡単な説明】
【００２６】
【図１】本考案の一実施形態である広告装置を示す正面図である。
【図２】同広告装置を示す展開斜視図である。
【図３】柱用枠体を示す斜視図である。
【図４】広告装置を示す平面図である。
【図５】図４に示す広告装置の一部を拡大した平面図である。
【図６】広告装置の主要部を示す側面図である。
【図７】照明器具の配置状態を示す側面図である。
【符号の説明】
【００２７】
１    広告装置
２    筒状枠体
２ａ  外周面
３    フィルム
【図１】
0003118736.tif 000003
【図２】
0003118736.tif 000004
【図３】
0003118736.tif 000005
【図４】
0003118736.tif 000006
【図５】
0003118736.tif 000007
【図６】
0003118736.tif 000008
【図７】
0003118736.tif 000009